(57)【要約】      （修正有）【課題】消費電力を低減することができる温度調節計を実現する。【解決手段】表示部１を備えた温度調節計において、表示部の輝度値をイベント毎に記憶する記憶部６と、イベント検出時に記憶部から該当するイベントの輝度値を読み出し、輝度値に応じて表示部の輝度を制御する表示制御部７とを備え、表示部の輝度を各表示枠でイベント毎に変化させることにより、ユーザが設定等をするために温度調節計のキーを押した時に表示部を明るく表示する時間は短くし、警報等のイベント発生時に表示部を明るく表示する時間は長くすることにより、一定時間で明るく表示する場合と比較して消費電力を低減することができる。【選択図】図１
2012059116.tif 000002
【特許請求の範囲】
【請求項１】
表示部を備えた温度調節計において、
前記表示部の輝度値をイベント毎に記憶する記憶部と、
イベント検出時に前記記憶部から該当するイベントの前記輝度値を読み出し、この輝度値に応じて前記表示部の輝度を制御する表示制御部と
を備えたことを特徴とする温度調節計。
【請求項２】
複数の表示枠を有する表示部を備えた温度調節計において、
前記表示部の各表示枠の輝度値をイベント毎に記憶する記憶部と、
イベント検出時に前記記憶部から該当するイベントの各表示枠の前記輝度値を読み出し、この輝度値に応じて前記表示部の各表示枠の輝度を制御する表示制御部と
を備えたことを特徴とする温度調節計。
【請求項３】
前記記憶部は、イベント発生時の輝度から通常時の輝度に戻すまでの時間であるタイマ設定値を前記イベント毎に記憶し、
前記タイマ設定値に基づく規定時間を計測し、この規定時間に到達した時点で終了信号を出力するタイマ管理部を有し、
前記表示制御部は、前記タイマ管理部からの前記終了信号に応じて前記表示部の輝度をイベント発生時の輝度から通常時の輝度に戻すことを特徴とする請求項１または２記載の温度調節計。
【請求項４】
前記記憶部は、イベントが割り当てられるイベント番号に対応すると共に前記イベント番号に割り当てられたイベントの内容を示すイベント設定値を記憶し、
前記表示制御部は、前記記憶部に記憶されている前記イベント設定値を参照することにより、発生したイベントのイベント番号を認識することを特徴とする請求項１〜３のいずれかに記載の温度調節計。
【発明の詳細な説明】
【技術分野】
【０００１】
本発明は、表示部を備えた温度調節計に関し、詳しくは、表示部の輝度を各表示枠でイベント毎に変化させることにより、消費電力を低減することが可能な温度調節計に関するものである。
【背景技術】
【０００２】
図２は、従来の温度調節計の一例を示した構成図である。
図２において、表示部１は、表示枠Ｄ１〜Ｄｉ（ｉは２以上の整数）を有し、各表示枠には、測定値、設定値、または警報等が選択的に表示される。例えば、図３に示すように、表示枠Ｄ１〜Ｄｉは、運転表示枠Ｄ１０１、設定表示枠Ｄ１０２、その他表示枠Ｄ１０３のように区別できる。記憶部２は、フラッシュメモリ等の不揮発性メモリで構成され、表示枠Ｄ１〜Ｄｉのそれぞれに対応した輝度値を記憶する。
【０００３】
入力部３は、温度調節計のユーザが各表示枠の輝度値を入力する。表示制御部４は、タイマ管理部４１を有し、表示部１の表示を制御する。タイマ管理部４１は、表示部１の各表示枠に表示させる内容の画面切り替えの時間を管理する。イベント検出部５は、イベントを検出して表示制御部４へ検出信号を出力する。イベントの種類としては、「ユーザが設定等をするために温度調節計のキーを押す」、「温度調節計の異常を知らせる警報が発生する」等がある。
【０００４】
このような温度調節計の動作を説明する。
記憶部２は、表示部１の各表示枠に対応した輝度値Ｖ１〜Ｖｉ（ｉは２以上の整数）が記憶される。例えば、輝度値Ｖ１は、表示枠Ｄ１の輝度を表し、輝度値Ｖｉは、表示枠Ｄｉの輝度を表す。輝度値Ｖｉは、初期値が記憶部２に予め記憶されているが、温度調節計のユーザにより、書き替えられるものとする。ユーザが輝度値Ｖ１〜Ｖｉを設定する場合には、ユーザは、入力部３を介して輝度値Ｖ１〜Ｖｉを設定する。
【０００５】
表示制御部４は、温度調節計で取り扱われる複数の情報（測定値、設定値、または警報等）を表示部１の表示枠Ｄ１〜Ｄｉに選択的に表示させる。この時、表示制御部４は、記憶部２から表示部１の各表示枠に対応した輝度値Ｖ１〜Ｖｉを読み出し、この輝度値に応じた輝度で各表示枠に表示させる。また、表示制御部４は、イベント検出部５からの検出信号を受信すると、検出したイベントに応じて表示部１を制御する。
【０００６】
特許文献１には、ユーザの利便性を大幅に向上することができる調節計が記載されている。
【先行技術文献】
【特許文献】
【０００７】
【特許文献１】特開２００９−２４５１７４号公報
【発明の概要】
【発明が解決しようとする課題】
【０００８】
しかし、図２に示す従来例では、ユーザが手動（キー入力または通信等）で変更しなければ、表示部１の各表示枠の輝度は、輝度値が固定のままであり、無駄な電力を消費してしまうという問題があった。
【０００９】
例えば、表示部１の各表示枠の輝度は、通常時には低くてよいが、特定のイベントが発生した時には明るくしたい場合に、常に明るく表示しなければならなかった。
【００１０】
そこで本発明の目的は、表示部１の輝度を各表示枠でイベント毎に変化させることにより、消費電力を低減することができる温度調節計を実現することにある。
【課題を解決するための手段】
【００１１】
請求項１記載の発明は、
表示部を備えた温度調節計において、
前記表示部の輝度値をイベント毎に記憶する記憶部と、
イベント検出時に前記記憶部から該当するイベントの前記輝度値を読み出し、この輝度値に応じて前記表示部の輝度を制御する表示制御部と
を備えたことを特徴とするものである。
請求項２記載の発明は、
複数の表示枠を有する表示部を備えた温度調節計において、
前記表示部の各表示枠の輝度値をイベント毎に記憶する記憶部と、
イベント検出時に前記記憶部から該当するイベントの各表示枠の前記輝度値を読み出し、この輝度値に応じて前記表示部の各表示枠の輝度を制御する表示制御部と
を備えたことを特徴とするものである。
請求項３記載の発明は、請求項１または２記載の発明において、
前記記憶部は、イベント発生時の輝度から通常時の輝度に戻すまでの時間であるタイマ設定値を前記イベント毎に記憶し、
前記タイマ設定値に基づく規定時間を計測し、この規定時間に到達した時点で終了信号を出力するタイマ管理部を有し、
前記表示制御部は、前記タイマ管理部からの前記終了信号に応じて前記表示部の輝度をイベント発生時の輝度から通常時の輝度に戻すことを特徴とするものである。
請求項４記載の発明は、請求項１〜３のいずれかに記載の発明において、
前記記憶部は、イベントが割り当てられるイベント番号に対応すると共に前記イベント番号に割り当てられたイベントの内容を示すイベント設定値を記憶し、
前記表示制御部は、前記記憶部に記憶されている前記イベント設定値を参照することにより、発生したイベントのイベント番号を認識することを特徴とするものである。
【発明の効果】
【００１２】
本発明の請求項１によれば、以下のような効果がある。
表示部を備えた温度調節計において、前記表示部の輝度値をイベント毎に記憶する記憶部と、イベント検出時に前記記憶部から該当するイベントの前記輝度値を読み出し、この輝度値に応じて前記表示部の輝度を制御する表示制御部とを備えたことにより、表示部の輝度をイベント毎に制御できるので、温度調節計の消費電力を低減することができる。
【００１３】
例えば、通常時には表示部を暗く表示し、ユーザが設定等をするために温度調節計のキーを押した時に表示部を明るく表示して規定時間経過後に再び暗く表示するということができる。この場合、通常時は、表示部を暗く表示しているので、温度調節計の消費電力を低減することができる。
【００１４】
本発明の請求項２によれば、以下のような効果がある。
複数の表示枠を有する表示部を備えた温度調節計において、前記表示部の各表示枠の輝度値をイベント毎に記憶する記憶部と、イベント検出時に前記記憶部から該当するイベントの各表示枠の前記輝度値を読み出し、この輝度値に応じて前記表示部の各表示枠の輝度を制御する表示制御部とを備えたことにより、表示部の各表示枠の輝度をイベント毎に制御できるので、温度調節計の消費電力を低減することができる。
【００１５】
例えば、表示部が表示枠Ａと表示枠Ｂを有していた場合に、通常時には、表示枠Ａを明るく表示して表示枠Ｂを暗く表示し、警報等のイベント発生時には、表示枠Ａを暗く表示して表示枠Ｂを明るく表示させる。このようにすることで、イベント発生時には、通常時と表示の明暗が逆転しているので、温度調節計のユーザが認識しやすくなるという効果もある。
【００１６】
本発明の請求項３によれば、以下のような効果がある。
前記記憶部は、イベント発生時の輝度から通常時の輝度に戻すまでの時間であるタイマ設定値を前記イベント毎に記憶し、前記タイマ設定値に基づく規定時間を計測し、この規定時間に到達した時点で終了信号を出力するタイマ管理部を有し、前記表示制御部は、前記タイマ管理部からの前記終了信号に応じて前記表示部の輝度をイベント発生時の輝度から通常時の輝度に戻すことにより、表示部の輝度をイベント毎に制御できることに加えて、イベント発生時の輝度で表示する時間も制御できるので、温度調節計の消費電力をさらに低減することができる。
【００１７】
例えば、ユーザが設定等をするために温度調節計のキーを押した時に表示部を明るく表示する時間は短くし、警報等のイベント発生時に表示部を明るく表示する時間は長くすることにより、一定時間で明るく表示する場合と比較して温度調節計の消費電力を低減することができる。
【００１８】
本発明の請求項４によれば、以下のような効果がある。
前記記憶部は、イベントが割り当てられるイベント番号に対応すると共に前記イベント番号に割り当てられたイベントの内容を示すイベント設定値を記憶し、前記表示制御部は、前記記憶部に記憶されている前記イベント設定値を参照することにより、発生したイベントのイベント番号を認識することにより、任意のイベント番号にイベントを自由に割り当てることができるので、温度調節計の消費電力をより詳細に制御することができる。
【００１９】
例えば、発生頻度の高いイベントを各イベント番号に割り当て、そのイベント番号の輝度を比較的暗くしておくことにより、イベントが多く発生しても温度調節計の消費電力を低減することができる。
【図面の簡単な説明】
【００２０】
【図１】本発明の温度調節計を示した構成図である。
【図２】従来の温度調節計の一例を示した構成図である。
【図３】表示部の一例である。
【発明を実施するための形態】
【００２１】
以下、図面を用いて本発明の実施の形態を説明する。
図１は、本発明の温度調節計を示した構成図である。ここで、図２と同一のものは同一符号を付し、説明を省略する。図１において、記憶部６は、記憶部２と同様に、フラッシュメモリ等の不揮発性メモリで構成され、表示枠Ｄ１〜Ｄｉのそれぞれに対応したイベント毎の輝度値を記憶する。
【００２２】
また、記憶部６は、イベント発生時の輝度から通常時の輝度に戻すまでの時間であるタイマ設定値をイベント毎に記憶し、イベント番号に割り当てられるイベントの内容を示すイベント設定値を記憶する。表示制御部７は、タイマ管理部７１を有し、表示部１の表示を制御する。タイマ管理部７１は、記憶部６に記憶されているタイマ設定値に基づく規定時間を計測する。
【００２３】
このような温度調節計の動作を説明する。
記憶部６は、表示部１の表示枠Ｄ１〜Ｄｉ（ｉは２以上の整数）の輝度値Ｖ１０〜Ｖ１ｎ、・・・、Ｖｉ０〜Ｖｉｎ（ｎは１以上の整数）、タイマ設定値Ｔ１〜Ｔｎおよびイベント設定値Ｅ１〜Ｅｎがそれぞれ記憶される。例えば、輝度値Ｖ１０は、表示枠Ｄ１の通常時の輝度、輝度値Ｖ１１は、表示枠Ｄ１のイベント番号１のイベントが発生した時の輝度、輝度値Ｖ１ｎは、表示枠Ｄ１のイベント番号ｎのイベントが発生した時の輝度を表す。同様に、輝度値Ｖｉ０は、表示枠Ｄｉの通常時の輝度、輝度値Ｖｉ１は、表示枠Ｄｉのイベント番号１のイベントが発生した時の輝度、輝度値Ｖｉｎは、表示枠Ｄｉのイベント番号ｎのイベントが発生した時の輝度を表す。
【００２４】
また、タイマ設定値Ｔ１〜Ｔｎは、イベント発生時の輝度から通常時の輝度に戻すまでの時間が設定される。タイマ設定値Ｔ１は、イベント番号１のイベントが発生した時の輝度から通常時の輝度に戻すまでの時間が設定され、タイマ設定値Ｔｎは、イベント番号ｎのイベントが発生した時の輝度から通常時の輝度に戻すまでの時間が設定される。
【００２５】
また、イベント設定値Ｅ１〜Ｅｎは、イベント番号１〜ｎに割り当てられるイベントの内容が設定される。例えば、「ユーザが設定等をするために温度調節計のキーを押す」というイベントをイベント番号１に割り当てるには、イベント設定値Ｅ１に「ユーザが設定等をするために温度調節計のキーを押す」というイベントに対応した設定値を設定する。同様に、「温度調節計の異常を知らせる警報が発生する」というイベントをイベント番号ｎに割り当てるには、イベント設定値Ｅｎに「温度調節計の異常を知らせる警報が発生する」というイベントに対応した設定値を設定する。なお、各イベントに対応した設定値は、温度調節計の仕様で予め規定されているものとする。
【００２６】
輝度値Ｖ１０〜Ｖｉｎ、タイマ設定値Ｔ１〜Ｔｎおよびイベント設定値Ｅ１〜Ｅｎは、初期値が記憶部６に予め記憶されているが、温度調節計のユーザにより、書き替えられるものとする。ユーザが輝度値Ｖ１０〜Ｖｉｎ、タイマ設定値Ｔ１〜Ｔｎまたはイベント設定値Ｅ１〜Ｅｎを設定する場合には、ユーザは、入力部３を介して輝度値Ｖ１０〜Ｖｉｎ、タイマ設定値Ｔ１〜Ｔｎまたはイベント設定値Ｅ１〜Ｅｎを設定する。
【００２７】
表示制御部７は、イベントが発生していない状態、すなわち、通常時には、記憶部６から通常時の輝度値Ｖ１０、Ｖ２０、・・・、Ｖｉ０を読み出す。そして、表示制御部７は、読み出した輝度値Ｖ１０を表示部１の表示枠Ｄ１に設定し、読み出した輝度値Ｖ２０を表示部１の表示枠Ｄ２に設定する。同様に、表示制御部７は、読み出した輝度値Ｖｉ０を表示部１の表示枠Ｄｉに設定する。
【００２８】
一方、表示制御部７は、イベント検出部５からの検出信号を受信した時（イベント発生時）には、記憶部６に記憶されているイベント設定値Ｅ１〜Ｅｎを参照して該当するイベントの輝度値とタイマ設定値をそれぞれ読み出し、この輝度値に応じて表示部１の各表示枠の輝度を制御する。なお、イベント検出部５は、検出したイベントの内容を示す検出信号を出力する。
【００２９】
そして、タイマ管理部７１は、読み出したタイマ設定値に基づく時間（規定時間）を計測し、規定時間に到達した時点で終了信号を出力する。表示制御部７は、タイマ管理部７１からの終了信号に応じて表示部１の各表示枠の輝度をイベント発生時の輝度から通常時の輝度に戻す。
【００３０】
例えば、記憶部６のイベント設定値Ｅ１に「ユーザが設定等をするために温度調節計のキーを押す」というイベントに対応した設定値が設定されているとする。この場合に、ユーザが温度調節計のキーを押すと、イベント検出部５が「ユーザが温度調節計のキーを押す」というイベントを検出し、検出信号を出力する。
【００３１】
表示制御部７は、イベント検出部５から検出信号を受信し、記憶部６に記憶されているイベント設定値Ｅ１〜Ｅｎを参照することにより、発生したイベントのイベント番号が１であることを認識する。そして、表示制御部７は、記憶部６からイベント番号１に対応した輝度値Ｖ１１、Ｖ２１、・・・、Ｖｉ１およびタイマ設定値Ｔ１をそれぞれ読み出す。
【００３２】
表示制御部７は、読み出した輝度値Ｖ１１を表示部１の表示枠Ｄ１に設定し、読み出した輝度値Ｖ２１を表示部１の表示枠Ｄ２に設定する。同様に、表示制御部７は、読み出した輝度値Ｖｉ１を表示部１の表示枠Ｄｉに設定する。そして、タイマ管理部７１は、読み出したタイマ設定値Ｔ１に基づく規定時間を計測し、規定時間に到達した時点で終了信号を出力する。
【００３３】
表示制御部７は、タイマ管理部７１から終了信号を受信すると、表示部１の各表示枠の輝度をイベント発生時の輝度から通常時の輝度に戻す。具体的には、表示制御部７は、タイマ管理部７１から終了信号を受信すると、表示部１の表示枠Ｄ１の輝度を輝度値Ｖ１１から輝度値Ｖ１０に戻す。同様に、表示部１の表示枠Ｄ２の輝度を輝度値Ｖ２１から輝度値Ｖ２０に戻し、表示部１の表示枠Ｄｉの輝度を輝度値Ｖｉ１から輝度値Ｖｉ０に戻す。
【００３４】
なお、イベント検出部５が検出するイベントとしては、「ユーザが設定等をするために温度調節計のキーを押す」、「温度調節計の異常を知らせる警報が発生する」、「接点入力または接点出力がオンまたはオフする」等がある。
【００３５】
このように、記憶部６が、各表示枠のイベント毎の輝度値、イベント毎のタイマ設定値およびイベント番号１〜ｎに割り当てられるイベントの内容を示すイベント設定値をそれぞれ記憶し、表示制御部７が、イベント発生時に、記憶部６に記憶された該当イベントの輝度値に基づいて各表示枠の輝度を制御する。そして、タイマ管理部７１が、該当イベントのタイマ設定値に基づく規定時間を計測し、表示制御部７が、タイマ管理部７１から終了信号を受信すると、表示部１の各表示枠の輝度をイベント発生時の輝度から通常時の輝度に戻すことにより、表示部１の各表示枠の輝度をイベント毎に制御できるので、温度調節計の消費電力を低減することができる。
【００３６】
なお、本発明はこれに限定されるものではなく、以下に示すようなものでもよい。
（１）図１に示す実施例において、表示部１が複数の表示枠（表示枠Ｄ１〜Ｄｉ）を有する構成を示したが、表示部１が１つの表示枠を有する構成としてもよい。この場合、記憶部６に記憶される輝度値は、表示枠１つ分の輝度値（例えば、輝度値Ｖ１０〜Ｖ１ｎ）となる。
【００３７】
（２）図１に示す実施例において、タイマ管理部７１が、該当イベントのタイマ設定値に基づく規定時間を計測し、表示制御部７が、タイマ管理部７１から終了信号を受信すると、表示部１の各表示枠の輝度をイベント発生時の輝度から通常時の輝度に戻す構成を示したが、表示部１の各表示枠の輝度をイベント発生時の輝度から通常時の輝度に戻す時間を予め設定された一定時間とし、表示制御部７が、この一定時間経過後に表示部１の各表示枠の輝度をイベント発生時の輝度から通常時の輝度に戻す構成としてもよい。この場合、記憶部６に記憶されるタイマ設定値は、１個となる。
【００３８】
（３）図１に示す実施例において、タイマ管理部７１が、表示制御部７に内蔵されている構成を示したが、タイマ管理部７１を表示制御部７の外部に設ける構成としてもよい。
【００３９】
（４）図１に示す実施例において、記憶部６が、イベント番号１〜ｎに割り当てられるイベントの内容を示すイベント設定値を記憶する構成を示したが、予めイベント番号１〜ｎに割り当てられるイベントが固定されている場合には、イベント設定値を設けなくてもよい。
【符号の説明】
【００４０】
１  表示部
５  イベント検出部
６  記憶部
７  表示制御部
７１  タイマ管理部
Ｄ１〜Ｄｉ  表示枠
【図１】
2012059116.tif 000003
【図２】
2012059116.tif 000004
【図３】
2012059116.tif 000005